【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
情報処理装置とネットワークを介して接続して前記情報処理装置から読み取り命令を受信して画像を読み取る画像読取装置であって、
複数ページの原稿を読み取って画像データを生成する読取手段と、
前記画像読取装置が前記原稿を読み取って１つのファイルに生成する該原稿ページ数、および前記原稿の何ページを読み取った後に前記ファイルを送信するか設定する読み取り後の送信枚数を設定して前記画像読取装置に送信する前記情報処理装置の設定手段から、前記原稿ページ数、および前記読み取り後の送信枚数の情報を受信し、受信した前記原稿ページ数ごとに、前記読取手段によって読み取られた画像データを、１つのファイルに生成して、生成された該ページ数のファイルを、前記読み取り後の送信枚数に従って、前記情報処理装置に送信する読取データ管理手段と、
前記原稿を自動的に搬送させる原稿搬送手段と、
を備えることを特徴とする画像読取装置。
【請求項２】
前記読取データ管理手段は、送信した前記ファイルに含まれるページの画像を１つの画面で前記情報処理装置の表示手段に表示させるとともに、送信した前記ファイルを前記情報処理装置の保存手段に格納させることを特徴とする請求項１に記載の画像読取装置。
【請求項３】
前記読取データ管理手段は、前記表示手段にウェブブラウザを表示する前記情報処理装置のウェブブラウザ手段から前記原稿ページ数、および前記読み取り後の送信枚数の設定を受け付ける前記設定手段から、前記原稿ページ数、および前記読み取り後の送信枚数の情報を受信することを特徴とする請求項２に記載の画像読取装置。
【請求項４】
前記原稿搬送手段で発生する紙詰まりを検出し、紙詰まり検出情報を前記情報処理装置に送信して、前記表示手段にエラー表示させる紙詰まり検出手段と、
前記搬送手段が複数ページ原稿を自動的に搬送できない場合、搬送エラー情報を前記情報処理装置に送信して、前記表示手段にエラー表示させる搬送エラー検出手段とを、さらに備え、
前記紙詰まり検出手段は、前記情報処理装置の紙詰まり対応手段に、送信した前記紙詰まり検出情報に従って、紙詰まり発生までに読み取った原稿データを廃棄する命令情報、および前記読み取った原稿データのページ分までを送信させる命令情報のうち、いずれかの指定を受け付けて画像読取装置に送信させることを特徴とする請求項２又は３に記載の画像読取装置。
【請求項５】
前記読取データ管理手段は、前記設定手段によって読み取りを設定された原稿のページ数と送信した原稿画像のページ数とが異なる場合、前記表示手段に、読み取りエラーを表示させることを特徴とする請求項２〜４のいずれか１つに記載の画像読取装置。
【請求項６】
請求項１〜５のいずれか１つに記載の画像読取装置と、
前記画像読取装置にネットワークを介して接続し、前記画像読取装置に読み取り命令を送信する情報処理装置と、
前記画像読取装置に前記ネットワークを介して接続し、前記画像読取装置が読み取った原稿データを記憶する記憶装置と、を備えることを特徴とする画像読取システム。
【請求項７】
情報処理装置とネットワークを介して接続して前記情報処理装置から読み取り命令を受信して画像を読み取る画像読取装置における画像読取方法であって、
前記画像読取装置の読取手段によって、複数ページの原稿を読み取って画像データを生成する読取工程と、
読取データ管理手段によって、前記画像読取装置が前記原稿を読み取って１つのファイルに生成する該原稿ページ数、および前記原稿の何ページを読み取った後に前記ファイルを送信するか設定する読み取り後の送信枚数を設定して前記画像読取装置に送信する前記情報処理装置の設定手段から、前記原稿ページ数、および前記読み取り後の送信枚数の情報を受信し、受信した前記原稿ページ数ごとに、前記読取手段によって読み取られた画像データを、１つのファイルに生成して、生成された該ページ数のファイルを、前記読み取り後の送信枚数に従って、前記情報処理装置に送信する読取データ管理工程と、
原稿搬送手段によって、前記原稿を自動的に搬送させる原稿搬送工程と、
を含むことを特徴とする画像読取方法。
【請求項８】
請求項７に記載の画像読取方法をコンピュータに実行させるためのプログラム。
【手続補正２】
【補正対象書類名】明細書
【補正対象項目名】発明の名称
【補正方法】変更
【補正の内容】
【発明の名称】画像読取装置、画像読取システム、画像読取方法、およびその方法をコンピュータに実行させるためのプログラム
【手続補正３】
【補正対象書類名】明細書
【補正対象項目名】０００１
【補正方法】変更
【補正の内容】
【０００１】
本発明は、画像読取装置、画像読取システム、画像読取方法、およびその方法をコンピュータに実行させるためのプログラムに関するものである。
【手続補正４】
【補正対象書類名】明細書
【補正対象項目名】０００６
【補正方法】変更
【補正の内容】
【０００６】
本発明は、上記の問題に鑑みてなされ、その目的は、情報処理装置から読取装置に対して、複数ページ原稿の読み取りについて設定を可能とし、エラーに際しても、読み取りおよび通信動作の無駄を省いた画像読取装置、画像読取システム、画像読取方法、およびその方法をコンピュータに実行させるためのプログラムを提供することである。
【手続補正５】
【補正対象書類名】明細書
【補正対象項目名】０００７
【補正方法】変更
【補正の内容】
【０００７】
上述した課題を解決し、目的を達成するために、請求項１にかかる発明は、情報処理装置とネットワークを介して接続して前記情報処理装置から読み取り命令を受信して画像を読み取る画像読取装置であって、複数ページの原稿を読み取って画像データを生成する読取手段と、前記画像読取装置が前記原稿を読み取って１つのファイルに生成する該原稿ページ数、および前記原稿の何ページを読み取った後に前記ファイルを送信するか設定する読み取り後の送信枚数を設定して前記画像読取装置に送信する前記情報処理装置の設定手段から、前記原稿ページ数、および前記読み取り後の送信枚数の情報を受信し、受信した前記原稿ページ数ごとに、前記読取手段によって読み取られた画像データを、１つのファイルに生成して、生成された該ページ数のファイルを、前記読み取り後の送信枚数に従って、前記情報処理装置に送信する読取データ管理手段と、前記原稿を自動的に搬送させる原稿搬送手段と、を備えることを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
請求項２にかかる発明は、請求項１に記載の画像読取装置において、前記読取データ管理手段は、送信した前記ファイルに含まれるページの画像を１つの画面で前記情報処理装置の表示手段に表示させるとともに、送信した前記ファイルを前記情報処理装置の保存手段に格納させることを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
請求項３にかかる発明は、請求項２に記載の画像読取装置において、前記読取データ管理手段は、前記表示手段にウェブブラウザを表示する前記情報処理装置のウェブブラウザ手段から前記原稿ページ数、および前記読み取り後の送信枚数の設定を受け付ける前記設定手段から、前記原稿ページ数、および前記読み取り後の送信枚数の情報を受信することを特徴とする。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
請求項４にかかる発明は、請求項２又は３に記載の画像読取装置において、前記原稿搬送手段で発生する紙詰まりを検出し、紙詰まり検出情報を前記情報処理装置に送信して、前記表示手段にエラー表示させる紙詰まり検出手段と、前記搬送手段が複数ページ原稿を自動的に搬送できない場合、搬送エラー情報を前記情報処理装置に送信して、前記表示手段にエラー表示させる搬送エラー検出手段とを、さらに備え、前記紙詰まり検出手段は、前記情報処理装置の紙詰まり対応手段に、送信した前記紙詰まり検出情報に従って、紙詰まり発生までに読み取った原稿データを廃棄する命令情報、および前記読み取った原稿データのページ分までを送信させる命令情報のうち、いずれかの指定を受け付けて画像読取装置に送信させることを特徴とする。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
請求項５にかかる発明は、請求項２〜４のいずれか１つに記載の画像読取装置において、前記読取データ管理手段は、前記設定手段によって読み取りを設定された原稿のページ数と送信した原稿画像のページ数とが異なる場合、前記表示手段に、読み取りエラーを表示させることを特徴とする。
【手続補正１５】
【補正対象書類名】明細書
【補正対象項目名】００１７
【補正方法】変更
【補正の内容】
【００１７】
請求項６にかかる発明は、画像読取システムにおいて、請求項１〜５のいずれか１つに記載の画像読取装置と、前記画像読取装置にネットワークを介して接続し、前記画像読取装置に読み取り命令を送信する情報処理装置と、前記画像読取装置に前記ネットワークを介して接続し、前記画像読取装置が読み取った原稿データを記憶する記憶装置と、を備えることを特徴とする。
【手続補正１６】
【補正対象書類名】明細書
【補正対象項目名】００１８
【補正方法】変更
【補正の内容】
【００１８】
請求項７にかかる発明は、情報処理装置とネットワークを介して接続して前記情報処理装置から読み取り命令を受信して画像を読み取る画像読取装置における画像読取方法であって、前記画像読取装置の読取手段によって、複数ページの原稿を読み取って画像データを生成する読取工程と、読取データ管理手段によって、前記画像読取装置が前記原稿を読み取って１つのファイルに生成する該原稿ページ数、および前記原稿の何ページを読み取った後に前記ファイルを送信するか設定する読み取り後の送信枚数を設定して前記画像読取装置に送信する前記情報処理装置の設定手段から、前記原稿ページ数、および前記読み取り後の送信枚数の情報を受信し、受信した前記原稿ページ数ごとに、前記読取手段によって読み取られた画像データを、１つのファイルに生成して、生成された該ページ数のファイルを、前記読み取り後の送信枚数に従って、前記情報処理装置に送信する読取データ管理工程と、原稿搬送手段によって、前記原稿を自動的に搬送させる原稿搬送工程と、を含むことを特徴とする。
【手続補正１７】
【補正対象書類名】明細書
【補正対象項目名】００１９
【補正方法】変更
【補正の内容】
【００１９】
請求項８にかかる発明は、プログラムにおいて、請求項７に記載の画像読取方法をコンピュータに実行させるためのものである。
【手続補正１８】
【補正対象書類名】明細書
【補正対象項目名】００２０
【補正方法】変更
【補正の内容】
【００２０】
請求項１にかかる発明によれば、情報処理装置は、画像読取装置が原稿を読み取って１つのファイルに生成する該原稿ページ数、および原稿の何ページを読み取った後にファイルを送信するか設定する読み取り後の送信枚数を設定し、画像読取装置に送信し、画像読取装置は、設定手段により設定されて送信される原稿ページ数、および読み取り後の送信枚数の情報を受信し、この原稿ページ数ごとに読み取られる画像データを１つのファイルに生成して、生成されたファイルを、読み取り後の送信枚数に従って、情報処理装置に送信することによって、情報処理装置側で所定ページ数を設定して画像読取装置側に対して該所定ページ数からなるファイルを生成して送信させることができ、複数ページ原稿の読み取り設定によって通信効率の高い画像読取装置を提供することができるという効果を奏する。また、画像読取装置側でエラーが発生した場合には、読み取りエラー発生以後の原稿のみを読み取りさせれば良いので、読みとりエラーに際しても読み取りおよび通信動作の無駄を省いた画像読取装置を提供することができるという効果を奏する。また、複数ページ原稿の読み取り後の送信設定が可能であるので、通信効率の高い画像読取装置を提供できるという効果を奏する。また、原稿を自動的に搬送させる原稿搬送手段を、さらに備えるので、利便性の高い画像読取装置を提供できるという効果を奏する。
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】変更
【補正の内容】
【００２２】
請求項２にかかる発明によれば、送信したファイルに含まれるページの画像を１つの画面で情報処理装置の表示手段に表示させるとともに、送信したファイルを情報処理装置の保存手段に格納させることによって、利便性が高く、データの安全性の高い画像読取装置を提供できるという効果を奏する。
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】変更
【補正の内容】
【００２４】
請求項３にかかる発明によれば、表示手段にウェブブラウザを表示するウェブブラウザ手段から原稿ページ数、および読み取り後の送信枚数の設定を受け付ける設定手段から、原稿ページ数、および読み取り後の送信枚数の情報を受信するので、利便性の高い画像読取装置を提供できるという効果を奏する。
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】変更
【補正の内容】
【００２６】
請求項４にかかる発明によれば、原稿搬送手段での紙詰まり（ＪＡＭ）を検出して表示手段にエラー表示するので、データの安全性の高い画像読取装置を提供できるという効果を奏する。また、紙詰まりが発生した場合は、紙詰まり発生までに読み取った原稿データを廃棄するか、送信させるかを指定できるので、無駄の少ない利便性の高い画像読取装置を提供できるという効果を奏する。また、自動的に搬送エラーを検出して通知し、搬送エラー情報を表示させるので、データの状態が把握しやすい利便性の高い画像読取装置を提供できるという効果を奏する。
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】変更
【補正の内容】
【００２９】
請求項５にかかる発明によれば、設定した原稿のページ数と受信した原稿画像のページ数とが異なる場合、読み取りエラーを表示させるので、読み取りが正確に行われたか否かを把握することができる利便性の高い画像読取装置を提供できるという効果を奏する。
【手続補正２８】
【補正対象書類名】明細書
【補正対象項目名】００３０
【補正方法】変更
【補正の内容】
【００３０】
請求項６にかかる発明によれば、さらに、画像読取装置にネットワークを介して読み取り命令を送信する情報処理装置と、原稿データを記憶する記憶装置を備えるので、読み取りデータの安全性を高めることができる利便性の高い画像読取システムを提供できるという効果を奏する。
【手続補正２９】
【補正対象書類名】明細書
【補正対象項目名】００３１
【補正方法】変更
【補正の内容】
【００３１】
請求項７にかかる発明によれば、情報処理装置は、画像読取装置が原稿を読み取って１つのファイルに生成する該原稿ページ数、および原稿の何ページを読み取った後にファイルを送信するか設定する読み取り後の送信枚数を設定し、画像読取装置に送信し、画像読取装置は、設定手段により設定されて送信される原稿ページ数、および読み取り後の送信枚数の情報を受信し、この原稿ページ数ごとに読み取られる画像データを１つのファイルに生成して、生成されたファイルを、読み取り後の送信枚数に従って、情報処理装置に送信することによって、情報処理装置側で所定ページ数を設定して画像読取装置側に対して該所定ページ数からなるファイルを生成して送信させることができ、複数ページ原稿の読み取り設定によって通信効率の高い画像読取方法を提供することができるという効果を奏する。また、画像読取装置側でエラーが発生した場合には、読み取りエラー発生以後の原稿のみを読み取りさせれば良いので、読みとりエラーに際しても読み取りおよび通信動作の無駄を省いた画像読取方法を提供することができるという効果を奏する。また、複数ページ原稿の読み取り後の送信設定が可能であるので、通信効率の高い画像読取方法を提供できるという効果を奏する。また、原稿を自動的に搬送させる原稿搬送手段を、さらに備えるので、利便性の高い画像読取方法を提供できるという効果を奏する。
【手続補正３０】
【補正対象書類名】明細書
【補正対象項目名】００３２
【補正方法】変更
【補正の内容】
【００３２】
請求項８にかかる発明によれば、請求項７に記載の画像読取方法をコンピュータに実行させるためのプログラムを提供することができるという効果を奏する。
【手続補正３１】
【補正対象書類名】明細書
【補正対象項目名】００３３
【補正方法】変更
【補正の内容】
【００３３】
以下に添付図面を参照して、この発明にかかる画像読取装置、画像読取システム、画像読取方法、およびその方法をコンピュータに実行させるためのプログラムの最良な実施の形態を、実施の形態１〜３、および変形例に沿って詳細に説明する。
【手続補正３２】
【補正対象書類名】明細書
【補正対象項目名】００８５
【補正方法】変更
【補正の内容】
【００８５】
以上のように、本発明にかかる画像読取装置、画像読取システム、画像読取方法、およびその方法をコンピュータに実行させるためのプログラムは、画像読み取り技術に有用である。